【事件の表示】
　特願２０１５−２３９７２９「手書き入力の自動変換システムおよび方法」拒絶査定不服審判事件〔平成２８年　５月１２日出願公開、特開２０１６−　７６２５０〕について、次のとおり審決する。
【結　論】
　本件審判の請求は、成り立たない。
【理　由】
第１　経緯及び査定の概要
１　経緯
　本件出願は、平成２０年１１月５日（パリ条約による優先権主張２００７年１１月５日、韓国）の出願である特願２００８−２８４３８６号の一部を平成２７年１２月８日に新たな特許出願としたものであって、その手続の経緯は、以下のとおりである。
　　
　平成２８年１２月２０日：拒絶理由の通知
　平成２９年　４月　３日：手続補正
　平成２９年　６月２６日：拒絶査定
　平成２９年　７月　４日：拒絶査定の謄本の送達
　平成２９年１１月　６日：拒絶査定不服審判の請求
　平成２９年１１月　６日：手続補正
　　
２　査定の概要
　原査定の理由は、概略、次のとおりである。
　　
［査定の理由］
　この出願の請求項１〜１２に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　
　　　　　　　　　　　　　　　記
　引用文献１：特開平９−４４５９６号公報
　引用文献２：特表２００３−５１７６６９号公報
　引用文献３：特開昭６０−１１２１８７号公報
　　
第２　補正却下の決定
　平成２９年１１月６日付けの手続補正について次のとおり決定する。
 　 
［補正却下の決定の結論］
　平成２９年１１月６日付けの手続補正を却下する。
　　
［理由］
１　補正の内容
　平成２９年１１月６日付けの手続補正（以下「本件補正」という。）は、特許請求の範囲についてする補正である。
　　
　本件補正は、
　　
（補正前の請求項１〜１２）
「　【請求項１】
　入力パッドにより入力される手書きを認識する認識部と、
　メモリに保存されたフォントのうち前記入力された手書きに最も類似のフォントを抽出する抽出部、および
　前記抽出部から抽出されたフォントと前記入力された手書きとを相互比較して、前記抽出されたフォントの形を前記入力された手書きに最も類似に自動変換する変換部と、を含み、
　前記自動変換はリアルタイムで行われ、自動変換されたフォントがリアルタイムでディスプレーされ、
　前記変換部は、前記抽出されたフォントの全体形を前記入力された手書きに最も類似に変換させる第１変換部を含み、
　前記変換部は、前記抽出されたフォントの細部の形を前記入力された手書きに最も類似に変換させる第２変換部をさらに含み、
　前記抽出されたフォントと前記入力された手書きとを比較した結果に応じて、前記第１変換部による変換の後で、前記第２変換部による変換を実行し、
　変換が完了したフォントを保存して、フォントデータ化する、
　ことを特徴とする手書き入力自動変換システム。
　　【請求項２】
　前記認識部は、前記入力された手書きに対する重要基準点および画数のデータ情報に基づいて、前記入力された手書きを文字で認識する、請求項１に記載の手書き入力自動変換システム。
　　【請求項３】
　前記重要基準点は、前記入力された手書きの開始点、終わり点、折れる点を含む、請求項２に記載の手書き入力自動変換システム。
　　【請求項４】
　前記第１変換部は、前記抽出されたフォントの全体サイズおよび傾きを前記入力された手書きの全体サイズおよび傾きに最も類似に変換させる、請求項１に記載の手書き入力自動変換システム。
　　【請求項５】
　前記第２変換部は、前記抽出されたフォントの細部の画の長さを前記入力された手書きの細部の画の長さに最も類似に変換させる、請求項１に記載の手書き入力自動変換システム。
　　【請求項６】
　入力パッドにより入力される手書きを認識する段階と、
　メモリに保存されたフォントのうち前記入力された手書きに最も類似のフォントを抽出する段階、および
　前記抽出されたフォントと前記入力された手書きを相互比較して、前記抽出されたフォントの形を前記入力された手書きに最も類似に自動変換する段階と、を含み、
　前記自動変換はリアルタイムで行われ、自動変換されたフォントがリアルタイムでディスプレーされ、
　前記変換する段階は、前記抽出されたフォントの全体形を前記入力された手書きに最も類似に変換させる段階と、前記抽出されたフォントの細部の形を前記入力された手書きに最も類似に変換させる段階と、をさらに含み、
　前記抽出されたフォントと前記入力された手書きとを比較した結果に応じて、抽出されたフォントの全体形を前記入力された手書きに最も類似に変換させる段階の後で、前記抽出されたフォントの細部の形を前記入力された手書きに最も類似に変換させる段階を実行し、
　変換が完了したフォントを保存して、フォントデータ化する、
　ことを特徴とする手書き入力自動変換方法。
　　【請求項７】
　前記認識する段階は、前記入力された手書きに対する重要基準点および画数のデータ情報により文字で認識する、請求項６に記載の手書き入力自動変換方法。
　　【請求項８】
　前記重要基準点は、前記入力された手書きの開始点、終わり点、折れる点を含む、請求項７に記載の手書き入力自動変換方法。
　　【請求項９】
　前記抽出されたフォントの全体の形を前記入力された手書きに最も類似に変換させる段階は、
　前記抽出されたフォントの全体サイズおよび傾きを前記入力された手書きの全体サイズおよび傾きに最も類似に変換させる段階を含む、請求項６に記載の手書き入力自動変換方法。
　　【請求項１０】
　前記抽出されたフォントの細部の形を前記入力された手書きに最も類似に変換させる段階は、
　前記抽出されたフォントの細部の画の長さを前記入力された手書きの細部の画の長さに最も類似に変換させる段階を含む、請求項６に記載の手書き入力自動変換方法。
　　【請求項１１】
　前記変換されたフォントをメッセージ作成するとき、フォントの適用が可能なようにシステムのメモリにフォントデータに保存する段階をさらに含む、請求項６に記載の手書き入力自動変換方法。
　　【請求項１２】
　前記抽出されて変換されたフォントは、フォントデータとして前記メモリに保存される、請求項１に記載の手書き入力自動変換システム。」
　　
を、次のとおり補正後の請求項１〜８に補正するものである（下線は補正箇所である。）。
　　
（補正後の請求項１〜８）
「　【請求項１】
　入力パッドにより入力され
た
であり、前記入力された手書きについて、重要基準点および画数を含むデータ情報を収集する、認識部
　メモリに保存されたフォントのうち前記入力された手書きに最も類似のフォントを
前記データ情報に基づいて
と、
　前記抽出部から抽出されたフォントと前記入力された手書きとを相互比較して、前記抽出されたフォントの形を前記入力された手書きに最も類似に自動変換する変換部と、を含み、
　前記重要基準点は、前記入力された手書きの前記入力パッドの座標上での開始点、終わり点、および、折れる点、を含み、
　前記自動変換はリアルタイムで行われ、自動変換されたフォントがリアルタイムでディスプレーされ、
　前記変換部は、前記抽出されたフォントの全体形を前記入力された手書きに最も類似に変換させる第１変換部を含み、
　前記変換部は、前記抽出されたフォントの細部の形を前記入力された手書きに最も類似に変換させる第２変換部をさらに含み、
　前記第１変換部は、前記抽出されたフォントの全体サイズおよび傾きを前記入力された手書きの全体サイズおよび傾きに最も類似に変換させ、かつ、前記第２変換部は、前記抽出されたフォントの細部の画の長さを前記入力された手書きの細部の画の長さに最も類似に変換させ、
　前記抽出されたフォントと前記入力された手書きとを比較した結果に応じて、前記第１変換部による変換の後で、前記第２変換部による変換を実行し、
　変換が完了したフォントを保存して、フォントデータ化する、
　ことを特徴とする手書き入力自動変換システム。
　　【請求項２】
　前記認識部は、前記入力された手書きに対する重要基準点および画数のデータ情報に基づいて、前記入力された手書きを文字で認識する、請求項１に記載の手書き入力自動変換システム。
　　【請求項３】
　前記重要基準点は、前記入力された手書きの開始点、終わり点、折れる点を含む、請求項２に記載の手書き入力自動変換システム。
　　【請求項４】
　入力パッドにより入力され
た
であり、前記入力された手書きについて、重要基準点および画数を含むデータ情報を収集する、段階
　メモリに保存されたフォントのうち前記入力された手書きに最も類似のフォントを
前記データ情報に基づいて
と、
　前記抽出されたフォントと前記入力された手書きを相互比較して、前記抽出されたフォントの形を前記入力された手書きに最も類似に自動変換する段階と、を含み、
　前記重要基準点は、前記入力された手書きの前記入力パッドの座標上での開始点、終わり点、および、折れる点、を含み、
　前記自動変換はリアルタイムで行われ、自動変換されたフォントがリアルタイムでディスプレーされ、
　前記変換する段階は、前記抽出されたフォントの全体形を前記入力された手書きに最も類似に変換させる段階と、前記抽出されたフォントの細部の形を前記入力された手書きに最も類似に変換させる段階と、をさらに含み、
　前記抽出されたフォントの全体形を前記入力された手書きに最も類似に変換させる段階は、前記抽出されたフォントの全体サイズおよび傾きを前記入力された手書きの全体サイズおよび傾きに最も類似に変換させる段階を含み、かつ、
　前記抽出されたフォントの細部の形を前記入力された手書きに最も類似に変換させる段階は、前記抽出されたフォントの細部の画の長さを前記入力された手書きの細部の画の長さに最も類似に変換させる段階を含み、
　前記抽出されたフォントと前記入力された手書きとを比較した結果に応じて、抽出されたフォントの全体形を前記入力された手書きに最も類似に変換させる段階の後で、前記抽出されたフォントの細部の形を前記入力された手書きに最も類似に変換させる段階を実行し、
　変換が完了したフォントを保存して、フォントデータ化する、
　ことを特徴とする手書き入力自動変換方法。
　　【請求項５】
　前記認識する段階は、前記入力された手書きに対する重要基準点および画数のデータ情報により文字で認識する、請求項
４
　　【請求項６】
　前記重要基準点は、前記入力された手書きの開始点、終わり点、折れる点を含む、請求項
５
　　【請求項７】
　前記変換されたフォントをメッセージ作成するとき、フォントの適用が可能なようにシステムのメモリにフォントデータに保存する段階をさらに含む、請求項
４
　　【請求項８】
　前記抽出されて変換されたフォントは、フォントデータとして前記メモリに保存される、請求項１に記載の手書き入力自動変換システム。」
　　
２　補正の適合性 
（１）新規事項、発明の特別な技術的特徴の変更、補正の目的 
ア　請求項１についての補正
　本件補正のうち、請求項１についての補正は、以下のとおりである。
（ア）補正前の請求項１における「入力パッドにより入力される手書きを認識する認識部」を、「入力パッドにより入力され
た
であり、前記入力された手書きについて、重要基準点および画数を含むデータ情報を収集する、認識部
重要基準点
前記入力された手書きの前記入力パッドの座標上での開始点、終わり点、および、折れる点、を含み
（イ）補正前の請求項１における「メモリに保存されたフォントのうち前記入力された手書きに最も類似のフォントを抽出する抽出部」を、「メモリに保存されたフォントのうち前記入力された手書きに最も類似のフォントを
前記データ情報に基づいて
（ウ）補正前の請求項１における「第１変換部」、「第２変換部」を、さらに、「
前記第１変換部は、前記抽出されたフォントの全体サイズおよび傾きを前記入力された手書きの全体サイズおよび傾きに最も類似に変換させ、かつ、前記第２変換部は、前記抽出されたフォントの細部の画の長さを前記入力された手書きの細部の画の長さに最も類似に変換させ、
　　
　上記（ア）、（イ）は、願書に最初添付した明細書の段落【００２０】〜【００２２】に記載されており、上記（ウ）は、補正前の請求項４、５に記載された技術的事項に基づく限定であって、願書に最初添付した明細書の段落【００２５】、【００２７】に記載されており、請求項１についての補正は、願書に最初添付した明細書、特許請求の範囲又は図面に記載した事項の範囲内のものであり、新たな技術事項を導入するものでなく、特許請求の範囲を減縮を目的とするものである。
　　
イ　請求項４についての補正
　本件補正のうち、請求項４についての補正は、以下のとおりである。
（ア）補正前の請求項６における「入力パッドにより入力される手書きを認識する段階」を「入力パッドにより入力され
た
であり、前記入力された手書きについて、重要基準点および画数を含むデータ情報を収集する、段階
重要基準点
前記入力された手書きの前記入力パッドの座標上での開始点、終わり点、および、折れる点、を含み
（イ）補正前の請求項６における「メモリに保存されたフォントのうち前記入力された手書きに最も類似のフォントを抽出する段階」を、「メモリに保存されたフォントのうち前記入力された手書きに最も類似のフォントを
前記データ情報に基づいて
（ウ）補正前の請求項６における「前記抽出されたフォントの全体形を前記入力された手書きに最も類似に変換させる段階」を、さらに、「
前記抽出されたフォントの全体サイズおよび傾きを前記入力された手書きの全体サイズおよび傾きに最も類似に変換させる段階を含み
前記抽出されたフォントの細部の画の長さを前記入力された手書きの細部の画の長さに最も類似に変換させる段階を含み
　　
　上記（ア）、（イ）は、願書に最初添付した明細書の段落【００２０】〜【００２２】に記載されており、上記（ウ）は、補正前の請求項９、１０に記載された技術的事項に基づく限定であって、願書に最初添付した明細書の段落【００２５】、【００２７】に記載されており、請求項４についての補正は、願書に最初添付した明細書、特許請求の範囲又は図面に記載した事項の範囲内のものであり、新たな技術事項を導入するものでなく、特許請求の範囲を減縮を目的とするものである。
　　
ウ　請求項５〜７についての補正
　当該補正は、補正前の請求項４、５、９、１０を削除することに伴う補正であって、願書に最初添付した明細書、特許請求の範囲又は図面に記載した事項の範囲内のものであり、新たな技術事項を導入するものでなく、明りょうでない記載の釈明を目的とするものである。
　　
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正発明 
　補正後の請求項１〜８に係る発明のうち請求項１に係る発明（以下「補正発明」という。）は、次のとおりのものである。
　　
（補正発明）
「（Ａ）入力パッドにより入力された手書きを認識する認識部であり、前記入力された手書きについて、重要基準点および画数を含むデータ情報を収集する、認識部と、
（Ｂ）メモリに保存されたフォントのうち前記入力された手書きに最も類似のフォントを前記データ情報に基づいて抽出する抽出部と、
（Ｃ）前記抽出部から抽出されたフォントと前記入力された手書きとを相互比較して、前記抽出されたフォントの形を前記入力された手書きに最も類似に自動変換する変換部と、を含み、
（Ｄ）前記重要基準点は、前記入力された手書きの前記入力パッドの座標上での開始点、終わり点、および、折れる点、を含み、
（Ｅ）前記自動変換はリアルタイムで行われ、自動変換されたフォントがリアルタイムでディスプレーされ、
（Ｆ）前記変換部は、前記抽出されたフォントの全体形を前記入力された手書きに最も類似に変換させる第１変換部を含み、
（Ｇ）前記変換部は、前記抽出されたフォントの細部の形を前記入力された手書きに最も類似に変換させる第２変換部をさらに含み、
（Ｈ）前記第１変換部は、前記抽出されたフォントの全体サイズおよび傾きを前記入力された手書きの全体サイズおよび傾きに最も類似に変換させ、かつ、前記第２変換部は、前記抽出されたフォントの細部の画の長さを前記入力された手書きの細部の画の長さに最も類似に変換させ、
（Ｉ）前記抽出されたフォントと前記入力された手書きとを比較した結果に応じて、前記第１変換部による変換の後で、前記第２変換部による変換を実行し、
（Ｊ）変換が完了したフォントを保存して、フォントデータ化する、
（Ｋ）ことを特徴とする手書き入力自動変換システム。」
　　
（（Ａ）〜（Ｋ）は、当審で付与した。以下各構成要件を「構成要件Ａ」〜「構成要件Ｋ」という。）
　　
（４）引用文献の記載及び引用文献に記載された発明
ア　引用文献１
（ア）引用文献１の記載
　原査定の拒絶の理由に引用された引用文献１には、「文書作成装置及び同装置に用いられる文字認識方法」（発明の名称）に関し、次に掲げる事項が記載されている（下線は当審で付与した。）。
　　
「【００１３】
【発明の実施の形態】以下、図面を参照して本発明の一実施形態を説明する。図１は本発明の一実施形態に係る文書作成装置の構成を示すブロック図である。本装置は、
ペン入力可能な文書作成装置
ＣＰＵ１１
入力制御部１４、出力制御部１５、ペン１６、タブレット１７、表示装置１８を有する
【００１４】
ＣＰＵ１１は
文書作成処理の他
手書き文字の認識処理
【００１５】文字認識手段格納領域１２ａには、
タブレット１７に書かれた手書き文字を認識する
　　
「【００２０】
入力制御部１４は、タブレット１７を通じて入力される手書き文字の情報の入力制御を行う
出力制御部１５は
認識結果として出力される認識文字の表示制御を行う
　　
「【００４０】（ａ）回転文字（拡大縮小含む）の認識と出力
図３は同実施形態における回転文字の認識処理および出力処理の動作を示すフローチャートである。
・・・
【００４３】
ペン１６とタブレット１７によって手書き文字が入力されると、ＣＰＵ１１はその入力文字を入力制御部１４を介して文字認識用入力バッファ１３ａに格納する
【００４４】次に、
ＣＰＵ１１は
文字認識用入力バッファ１３ａに格納された入力文字のサイズを正規化する
【００４５】この正規化とは、入力文字のサイズを文字認識しやすい大きさに修正することである。正規化にあたっては、入力文字のビットマップデータ、ストローク情報、前の文字（後の文字でも良い）の大きさ、推移（例えば２倍ずつ文字が大きくなっているとか）を参考にする。
・・・
【００４９】また、
ＣＰＵ１１は
上記正規化後の入力文字
を回転させる
手書き入力された文字を認識可能な形に変換
する
【００５０】　次に、
ＣＰＵ１１は
上記変換後の入力文字を文字認識し
その認識結果として得られた認識文字を文字認識用出力バッファ１３ｂに格納する
・・・
【００５６】なお、これはモードではなく、ユーザによるキーまたはペンタッチ等による何等かの指定でも良い。
変形出力モードが「する」に設定されている場合には
ＣＰＵ１１は
認識結果として得られた認識文字の大きさを、入力文字の大きさ
に合わせてフォント変換手段
により変換し、これを文字認識用出力バッファ１３ｂに格納する
・・・
【００５８】同様に、
角度に関しても、ＣＰＵ１１は入力文字の角度
に合わせてフォント変換手段
により当該認識文字を変換し、これを文字認識用出力バッファ１３ｂに格納する
・・・
【００６０】このようにして、
当該認識文字が入力文字に合わせて変換されると、ＣＰＵ１１はその変換後の認識文字を文字認識用出力バッファ１３ｂから読み出し、これを認識結果として表示装置１８に出力する
【００６１】一方、上記ステップＡ２０で、
変形出力モードが「しない」に設定されていた場合には、ＣＰＵ１１は当該認識文字を通常のフォントのままで、認識結果として表示装置１８に出力する
　　
「【００８９】（ｃ）直線以外の線種（ギザギザ，波線，スプリング，ストロークの先端が変形した字等）を有する文字の認識と出力
図５は同実施形態における直線以外の線種を有する文字の認識処理および出力処理の動作を示すフローチャートである。
・・・
【００９２】
ペン１６とタブレット１７によって手書き文字が入力される
・・・
【０１０１】次に、
ＣＰＵ１１は
入力文字を文字認識し
・・・
【０１１２】なお、これはモードではなく、ユーザによるキーまたはペンタッチ等による何等かの指定でも良い。
変形出力モードが「する」に設定されている場合には
ＣＰＵ１１は
認識結果として得られた認識文字の大きさを、入力文字の大きさ
に合わせてフォント変換手段
により変換し
【０１１３】このとき、大きさに関する他の文字の情報（図２．２２）も参考にした方が望ましい（但し、参考にしなくとも出力は可能である）。同様に、
線種に関しても、ＣＰＵ１１は入力文字の線種
波幅
波の高さ
先端の形状
の形状に合わせて当該認識文字を変換し、これを文字認識用出力バッファ１３ｂに格納する
・・・
【０１１５】このようにして、
当該認識文字が入力文字に合わせて変換されると、ＣＰＵ１１はその変換後の認識文字を文字認識用出力バッファ１３ｂから読み出し、これを認識結果として表示装置１８に出力する
【０１１６】一方、上記ステップＣ２１で、
変形出力モードが「しない」に設定されていた場合には、ＣＰＵ１１は当該認識文字を通常のフォントのままで、認識結果として表示装置１８に出力する
　　
「【０１１７】最後に、認識文字の出力に際し、拡大（縮小），回転，変形，線種を復元するための方法について説明する。・・・
・・・
【０１１９】（４）線種については、変形の場合と同様に３つの方法が考えられる。なお、上記実施形態では、理解を容易にするため、
（ａ）回転文字
（ｃ）直線以外の線種を有する文字
これらの処理は同時に行うことができるものである
　　
（イ）引用文献１に記載された発明
ａ　文字認識処理装置
　段落【００１３】によると、引用文献１には、「ペン入力可能な文書作成装置」が記載されている。当該装置は、ＣＰＵ、入力制御部、出力制御部、ペン、タブレット、表示装置を有する。
　段落【００１４】によると、ＣＰＵは、文書作成処理の他、手書き文字の認識処理を行うから、当該装置は、文字認識処理装置といえる。
　　
ｂ　入力文字の文字認識
　段落【００１５】、【００２０】、【００４３】〜【００４５】、【００４９】〜【００５０】、【００９２】、【０１０１】によると、 入力制御部、ＣＰＵは、タブレットによって手書き文字が入力され、入力された入力文字を文字認識し、認識文字を出力する。
　
ｃ　認識文字の変換
（ａ）回転
　段落【００５６】によると、ＣＰＵは、認識文字の大きさを入力文字の大きさに変換する。段落【００６１】によると、変形しない場合、認識文字を通常のフォントのままで出力するから、上記の認識文字の大きさは、認識文字のフォントの大きさである。
　段落【００５８】によると、ＣＰＵは、入力文字の角度に合わせてフォント変換手段により当該認識文字を変換する。段落【００５８】に記載されたステップは、段落【００５６】に記載されたステップの後のステップである。
　そうすると、引用文献１には、「ＣＰＵは、認識文字のフォントの大きさを入力文字の大きさに変換し、その後、入力文字の角度に合わせて認識文字を変換する」ことが記載されている。
　　
（ｂ）線種、波幅、波の高さ、先端の形状
　段落【０１１２】によると、ＣＰＵは、認識文字の大きさを入力文字の大きさに変換する。段落【０１１６】によると、変形しない場合、認識文字を通常のフォントのままで出力するから、上記の認識文字の大きさは、認識文字のフォントの大きさである。
　段落【０１１３】によると、ＣＰＵは、入力文字の線種、波幅、波の高さ、先端の形状に合わせて認識文字を変換する。段落【０１１３】に記載されたステップは、段落【０１１２】に記載されたステップの後のステップである。
　そうすると、引用文献１には、「ＣＰＵは、認識文字のフォントの大きさを入力文字の大きさに変換し、その後、入力文字の線種、波幅、波の高さ、先端の形状に合わせて認識文字を変換する」ことが記載されている。
　　
（ｃ）同時処理
　段落【０１１９】によると、回転と、入力文字の線種、波幅、波の高さ、先端の形状とを同時に処理することが記載されているから、同時に処理するものを引用文献１に記載された発明として認定する。
　　
ｄ　認識文字の表示
　段落【００２０】、【００６０】、【０１１５】によると、出力制御部、ＣＰＵは、変換後の認識文字を表示装置に表示する。
　　
ｅ　引用発明
　以上によると、引用文献１には、次の発明（以下「引用発明」という。）が記載されていると認められる。
（引用発明）
（ａ）ＣＰＵ、入力制御部、出力制御部、ペン、タブレット、表示装置を有する文字認識処理装置であって、
（ｂ）入力制御部、ＣＰＵは、タブレットによって手書き文字が入力され、入力された入力文字を文字認識し、認識文字を出力し、
（ｃ）ＣＰＵは、認識文字のフォントの大きさを入力文字の大きさに変換し、その後、入力文字の角度、入力文字の線種、波幅、波の高さ、先端の形状に合わせて認識文字を変換し、
（ｄ）出力制御部、ＣＰＵは、変換後の認識文字を表示装置に出力する
（ａ）文字認識処理装置。
　　
（（ａ）〜（ｄ）は、引用発明の構成を区別するために付与した。以下各構成を「構成ａ」〜「構成ｄ」という。）
　　
イ　引用文献２
（ア）引用文献２の記載
　原査定の拒絶の理由に引用された引用文献２には、「手書き入力を再現する装置及びシステム」（発明の名称）に関し、次に掲げる事項が記載されている（下線は当審で付与した。）。
　　
「　　【００１６】
　図１は、本発明による装置を概略的に示す図である。装置１００は、筆跡を入力するための入力装置１０２を有する。入力装置は、ペンを用いて動作され、装置の表面上におけるペンの場所が検出される。このようにして、文字の線素を入力するペンの動きが入力装置によって検出される。装置は、入力装置１０２と一体形の表示装置１０４を有する。この表示装置は最初に、ペンが入力装置に触れた位置を示し、それにより、紙上でのインクペンで筆跡を模倣する。従って、ユーザは、入力装置上に現われる入力を見る。認識後、表示装置１０４は、認識された文字を示す。
認識ユニット１０６は、入力装置上の書かれた入力を分析し、入力中の文字を認識することを試みる。選択ユニット１０８は、手書き入力文字に基づいてフォントを選択する。
フォント記憶装置１１０中の利用できる幾つかの所定のフォントの中からフォントが選択される
　　
「　　【００２１】
　本発明による装置の実施例において、表示されるべきメッセージを入力する追加のソースがあってもよい。この追加のソースは、幾つかの文字を入力するためのキーボードでもよい。この追加のソースからの文字は、選択されたフォントでまだ表示される。つまり、メッセージの一部がキーボードを介して入力された場合でも、メッセージ全体がユーザの筆跡に基づいて選択されるフォントで表示される。更に、所与のメッセージに対して選択され、且つ、可能性として
新しく形成されたフォントが記憶され
　　
「　　【００２８】
　図３は、新しいフォントの形成の第１の例を示す図である。
最初に、利用できるフォントから、手書きの文字に最良に似ているフォントが選択される。次に、アルファベットの所与の記号に関して、手書きの文字がフォントの対応する文字と比較され、これら２つの平均である新しい文字が形成される
　　
（イ）引用文献２に記載された技術
ａ　段落【００１６】によると、引用文献２には、「手書き入力文字に基づいて、記憶装置中のフォントの中からフォントを選択する技術」が記載されている。
　　
ｂ　段落【００２８】、【００２１】によると、引用文献２には、「手書き文字に似ているフォントが選択され、手書き文字とフォントから新しいフォントが形成され、当該フォントが記憶される技術」が記載されている。
　　
ウ　引用文献３
（ア）引用文献３の記載
　原査定の拒絶の理由に引用された引用文献３には、「オンライン手書き
文字認識
　　
「〔発明の実施例〕
　第２図は、本発明の１実施例の機能ブロックダイヤグラムを示す。図中の符号１は文字情報入力装置、いわゆるタブレット、２は前処理部、３は特徴点抽出部、４はパターン間距離計算部、５は最小距離検出部、６は出力端子、７は標準パターン（標準文字）メモリ部である。
　本発明の原理は次のようなものである。まず、文字情報入力装置１からの入力文字は、前処理部２において、入力文字の重心点が原点となるように各筆点の座標変換が行なわれる（以下、位置の正規化と称す）。また、各筆点と重心点との距離の平均値が一定値となるように、大きさが正規化される。さらに、前処理部２では
入力文字のストローク数を検出する
　この前処理後、特徴点抽出部３において、入力文字の各ストロークは、ストロークの始点，終点およびストロークに屈曲点が存在する場合には、そのうち１つの屈曲点を特徴点として抽出する。始点とは、ストロークの書き始めの点終点とは、ストロークの書き終りの点である。また屈曲点は、始点と終点を結ぶ直線とストローク内筆点との最大距離Ｈが、始点と終点との距離Ｌに対してＨ／Ｌが一定値以上となる筆点が存在するとき、最大距離Ｈを与える筆点に対応するものである。
　よって、ほぼ直線のストロークは、始点，終点の２点，
折れ曲りのあるストロークは、始点屈曲点，終点の３点を特徴点として抽出する
　この特徴点抽出部は、各ストロークの特徴点数情報３０１を入力文字に対する第２の候補文字選択情報として出力する。
　パターン間距離計算部４では、前述の入力文字と、あらかじめ、入力文字と同様に前処理、特徴点抽出され標準パターンメモリ部に記憶されているパターンとについて、パターン間距離が計算される。なお、このとき、対象となる標準パターンは、前述したストローク数情報２０１、各ストロークの特徴点数情報３０１をもとに、入力文字と同じストローク数で、かつ、各ストロークの特徴点数が、入力文字の筆順的に対応する各ストロークの特徴点に等しいものを選択し、これを対象とする。
　よって、認識対象カテゴリーをθで表わし、パターン間距離をｄθとすれば、ｄθは、筆順的に対応する特徴点間の距離の緩和として求める。この特徴点間の距離は、例えば、入力文字の特徴点Ａと対応する標準パターンの特徴点Ｂの間の遠近を表わす量であればよく、Ａ，Ｂ間のユークリッド・ノルム，シティブロック距離などが用いられる。
　このようにして計算されたパターン間距離ｄθのうちから最小距離検出部５により最小値が検出され、最小値を示すカテゴリθを入力
文字
認識
　　
（イ）引用文献３に記載された技術
　上記（ア）によると、引用文献３には、「ストローク数、始点、屈曲点、終点を用いて文字認識する技術」が記載されている。
　　
（５）対比
ア　補正発明と引用発明との対比
　補正発明と引用発明とを対比する。
　　
（ア）構成要件Ａ、Ｄと構成ｂとを対比する。
　構成ｂの「タブレットによって入力された入力文字を文字認識」する入力制御部、ＣＰＵは、構成要件Ａの「入力パッドにより入力された手書きを認識する認識部」として共通する。
　しかしながら、構成ｂは、「前記入力された手書きについて、重要基準点および画数を含むデータ情報を収集する」と特定されていない点で構成要件Ａと相違する。
　さらに、前記「重要基準点」が、「前記入力された手書きの前記入力パッドの座標上での開始点、終わり点、および、折れる点、を含」む（構成要件Ｄ）と特定されていない点で、引用発明は補正発明と相違する。
　　
（イ）構成要件Ｂについて
　引用発明は、「メモリに保存されたフォントのうち前記入力された手書きに最も類似のフォントを前記データ情報に基づいて抽出する抽出部」を含んでおらず、補正発明と相違する。
　　
（ウ）構成要件Ｃと構成ｃとを対比する。
　構成ｃにおいては、「ＣＰＵは、認識文字のフォントの大きさを入力文字の大きさに変換し、その後、入力文字の角度、入力文字の線種、波幅、波の高さ、先端の形状に合わせて認識文字を変換」するから、構成ｃの「ＣＰＵ」は、「フォントと前記入力された手書きとを相互比較して、前記フォントの形を前記入力された手書きに最も類似に自動変換する変換部」として、構成要件Ｃと共通する。
　しかしながら、「フォント」が、補正発明においては、「前記抽出部から抽出された」ものであるのに対し、引用発明は、上記（イ）のとおり、「抽出部」を含んでおらず、「前記抽出部から抽出された」ものでない点で相違する。
　　
（エ）構成要件Ｅと構成ｄとを対比する。
　構成ｄにおいては、「変換後の認識文字を表示装置に出力する」のであるから、「自動変換されたフォントがディスプレーされる」として、構成要件Ｅと共通する。
　しかしながら、補正発明においては、「前記自動変換はリアルタイムで行われ」、「リアルタイムに」ディスプレーされるのに対し、引用発明においては、「前記自動変換はリアルタイムで行われ」、「リアルタイムに」ディスプレーされると特定されていない点で相違する。
　　
（オ）構成要件Ｆ、Ｇ、Ｈ、Ｉと構成ｃとを対比する。
ａ　構成要件Ｆと構成ｃとを対比する。
　構成ｃの「ＣＰＵ」は、「認識文字のフォントの大きさを入力文字の大きさに変換」するから、「前記フォントの全体形を前記入力された手書きに最も類似に変換させる」といえ、このような変換をする「ＣＰＵ」は、「第１変換部」を含むといえ、構成要件Ｆと共通する。
　しかしながら、「前記フォント」が、補正発明においては、上記（イ）の相違に伴い「抽出された」ものであるのに対し、引用発明においては、「抽出された」ものでない点で相違する。
　　
ｂ　構成要件Ｇと構成ｃとを対比する。
　構成ｃの「ＣＰＵ」は、「入力文字の角度、入力文字の線種、波幅、波の高さ、先端の形状に合わせて認識文字を変換」するから、「前記抽出されたフォントの細部の形を前記入力された手書きに最も類似に変換させる」といえ、このような変換をする「ＣＰＵ」は、「第２変換部」をさらに含むといえ、構成要件Ｇと共通する。
　しかしながら、「前記フォント」が、補正発明においては、上記（イ）の相違に伴い「抽出された」ものであるのに対し、引用発明においては、「抽出された」ものでない点で相違する。
　　
ｃ　構成要件Ｉと構成ｃとを対比する。
　上記ａ、ｂを踏まえると、構成ｃは、「前記フォントと前記入力された手書きとを比較した結果に応じて、前記第１変換部による変換の後で、前記第２変換部による変換を実行」するとして、構成要件Ｉと共通する。
　しかしながら、「前記フォント」が、補正発明においては、上記（イ）の相違に伴い「抽出された」ものであるのに対し、引用発明においては、「抽出された」ものでない点で相違する。
　　
ｄ　構成要件Ｈと構成ｃとを対比する。
（ａ）第１変換部
　上記ａのとおり、構成ｃの「ＣＰＵ」は、「第１変換部」を含むといえ、「認識文字のフォントの大きさを入力文字の大きさに変換」するから、「前記フォントの全体サイズを前記入力された手書きの全体サイズに最も類似に変換させ」るといえる。
　また、上記ｂのとおり、構成ｃの「ＣＰＵ」は、「第２変換部」において、入力文字の角度、すなわち、傾きに合わせて認識文字を変換するから、「前記フォントの傾きを前記入力された手書きの傾きに最も類似に変換させ」るといえる。
　そうすると、補正発明と引用発明とは、「前記第１変換部」が、「前記フォントの全体サイズを前記入力された手書きの全体サイズに最も類似に変換させ」る点で共通する。
　しかしながら、「前記フォントの傾きを前記入力された手書きの傾きに最も類似に変換させ」るものが、補正発明においては、「第１変換部」であるのに対し、引用発明においては、「第２変換部」である点で相違し、さらに、「前記フォント」が、補正発明においては、上記（イ）の相違に伴い「抽出された」ものであるのに対し、引用発明においては、「抽出された」ものでない点で相違する。
　　
（ｂ）第２変換部
　上記ｂのとおり、構成ｃの「ＣＰＵ」は、「第２変換部」を含んでいる。
　しかしながら、「第２変換部」が、補正発明においては、「前記抽出されたフォントの細部の画の長さを前記入力された手書きの細部の画の長さに最も類似に変換させ」るのに対し、引用発明においては、「入力文字の角度、入力文字の線種、波幅、波の高さ、先端の形状に合わせて認識文字を変換」するものである点で相違する。
　　
（カ）構成Ｊについて
　引用発明は、「変換が完了したフォントを保存して、フォントデータ化する」ものではなく、補正発明と相違する。
　　
（キ）構成要件Ｋと構成ａ〜ｄとを対比する。
　引用発明は、構成ａ〜ｄからなり、タブレットによって手書き文字が入力され、入力された入力文字を自動的に変換しているといえ、「装置」は「システム」ともいえる。
　したがって、引用発明は、「手書き入力自動変換システム」として、補正発明と一致する。
　　
イ　一致点、相違点
　以上によると、一致点、相違点は次のとおりである。
　　
（一致点）
　入力パッドにより入力された手書きを認識する認識部と、
　フォントと前記入力された手書きとを相互比較して、前記フォントの形を前記入力された手書きに最も類似に自動変換する変換部と、を含み、
　自動変換されたフォントがディスプレーされ、
　前記変換部は、前記フォントの全体形を前記入力された手書きに最も類似に変換させる第１変換部を含み、
　前記変換部は、前記フォントの細部の形を前記入力された手書きに最も類似に変換させる第２変換部をさらに含み、
　前記第１変換部は、前記フォントの全体サイズを前記入力された手書きの全体サイズに最も類似に変換させ、
　前記フォントと前記入力された手書きとを比較した結果に応じて、前記第１変換部による変換の後で、前記第２変換部による変換を実行する、
　ことを特徴とする手書き入力自動変換システム。
　　
（相違点１）
　「認識部」が、補正発明においては、「前記入力された手書きについて、重要基準点および画数を含むデータ情報を収集する」ものであって、前記「重要基準点」が、「前記入力された手書きの前記入力パッドの座標上での開始点、終わり点、および、折れる点、を含」むのに対し、引用発明においては、「前記入力された手書きについて、重要基準点および画数を含むデータ情報を収集する」と特定されておらず、「重要基準点」についての特定もされていない点
　　
（相違点２）
　補正発明においては、「メモリに保存されたフォントのうち前記入力された手書きに最も類似のフォントを前記データ情報に基づいて抽出する抽出部」を含んでいるのに対し、引用発明においては、当該抽出部を含んでおらず、この相違に伴い、「変換部」における「フォント」が、補正発明においては、「前記抽出部から抽出された」ものであるのに対し、引用発明においては、「前記抽出部から抽出された」ものでなく、さらに、「前記フォント」が、補正発明においては、「抽出された」ものであるのに対し、引用発明においては、「抽出された」ものでない点
　　
（相違点３）
　「自動変換されたフォントがディスプレーされ」るに関し、補正発明が、「前記自動変換はリアルタイムで行われ」、「リアルタイムで」ディスプレーされると特定されているのに対し、引用発明が、「前記自動変換はリアルタイムで行われ」、「リアルタイムで」ディスプレーされると特定されていない点
（相違点４）
　「前記フォントの傾きを前記入力された手書きの傾きに最も類似に変換させ」るものが、補正発明においては、「第１変換部」であるのに対し、引用発明においては、「第２変換部」である点
　　
（相違点５）
　「第２変換部」が、補正発明においては、「前記抽出されたフォントの細部の画の長さを前記入力された手書きの細部の画の長さに最も類似に変換させ」るのに対し、引用発明においては、「入力文字の角度、入力文字の線種、波幅、波の高さ、先端の形状に合わせて認識文字を変換」するものである点
　　
（相違点６）
　補正発明においては、「変換が完了したフォントを保存して、フォントデータ化する」ものであるのに対し、引用発明においては、「変換が完了したフォントを保存して、フォントデータ化する」ものでない点
　　
（６）相違点の判断等
ア　相違点１について
　文字認識をする際に、ストローク数（「画数」に相当）、始点、終点、屈曲点（「折れる点」に相当）を用いることは、引用文献３に示されているように周知の技術である。
　したがって、引用発明に周知の技術を適用して、「前記入力された手書きについて、重要基準点および画数を含むデータ情報を収集する」ようにし、前記「重要基準点」が「前記入力された手書きの前記入力パッドの座標上での開始点、終わり点、および、折れる点、を含」むようにすることは、当業者が容易に想到し得ることである。
　　
イ　相違点２について
　上記（４）イ（イ）ａのとおり、引用文献２には、「手書き入力文字に基づいて、記憶装置中のフォントの中からフォントを選択する技術」が記載されている。
　手書き文字を文字認識するという同じ技術分野の引用発明に引用文献２に記載された技術を適用して、引用発明において、「メモリに保存されたフォントのうち前記入力された手書きに最も類似のフォントを前記データ情報に基づいて抽出する抽出部」を含むようにすることは、当業者が容易に想到し得ることである。
　引用発明において当該抽出部を含むようにすることにより、「変換部」における「フォント」は、「前記抽出部から抽出された」ものとなり、「前記フォント」は、「前記抽出された」ものとなる。
　　
ウ　相違点３について
　手書き文字を認識して表示することをリアルタイムで行うようにすることは周知の技術と認められ、引用発明において、「前記自動変換はリアルタイムで行われ」、「リアルタイムで」ディスプレーされるようにすることは、当業者が容易に想到し得ることである。
　　
エ　相違点４について
　引用発明は、第２変換部が傾きを類似するように変化させるものであって、文字の変形をさせるものである。
　引用発明における第１変換部は、文字の全体のサイズを変化させるものであり、文字の変形をさせるものであるから、傾きを変化させることを第１変換部で行うようにすることは、装置を設計するに当たり当業者が適宜なし得ることである。
　　
オ　相違点５について
　引用発明は、「入力文字の線種、波幅、波の高さ、先端の形状に合わせて当該認識文字を変換」するものであり、入力文字の形状に合わせて認識文字を変換するものといえる。
　文字の変形として、画の長さを長くしたり、短くすることは、普通に想定され、引用発明における入力文字の合わせる形状として、画の長さを採用することは、当業者が容易に想到することである。
　したがって、引用発明において、「前記抽出されたフォントの細部の画の長さを前記入力された手書きの細部の画の長さに最も類似に変換させ」るようにすることは、当業者が容易に想到し得ることである。
　　
カ　相違点６について
　上記（４）イ（イ）ｂのとおり、引用文献２には、「手書き文字に似ているフォントが選択され、手書き文字とフォントから新しいフォントが形成され、当該フォントが記憶される技術」が記載されている。
　引用発明に当該技術を適用し、新たに作成した文字を記憶することにより、引用発明において、「変換が完了したフォントを保存して、フォントデータ化する」ようにすることは、当業者が容易に想到し得ることである。
　　
　そして、補正発明が奏する効果は、その容易想到である構成から当業者が容易に予測し得る範囲内のものであり、同範囲を超える顕著なものでもない。
　　
　したがって、補正発明は、引用発明、引用文献２に記載された技術及び周知の技術に基づいて当業者が容易に発明することができたものである。
　　
　補正発明は、引用発明、引用文献２に記載された技術及び周知の技術に基づいて当業者が容易に発明することができたものであるから、特許法第２９条第２項の規定により特許出願の際独立して特許を受けることができない。
　よって、本件補正は、特許法第１７条の２第６項において準用する同法第１２６条第７項の規定に違反している。
 　 
３　まとめ 
　したがって、本件補正は、特許法第１７条の２第６項において準用する同法第１２６条第７項の規定に違反するので、同法第１５９条第１項において読み替えて準用する同法第５３条第１項の規定により却下すべきものである。
　よって、補正却下の決定の結論のとおり決定する。
 　 
第３　本願発明について 
１　本願発明 
　平成２９年１１月６日付けの手続補正は、上記のとおり却下されたので、本願の請求項１〜１２に係る発明は、平成２９年４月３日付け手続補正により補正された明細書、特許請求の範囲及び図面の記載からみて、その特許請求の範囲の請求項１〜１２に記載した事項により特定されるとおりのものであるところ、請求項１に係る発明（以下「本願発明」という。）は、次のとおりのものである。
　　
（本願発明）
「入力パッドにより入力される手書きを認識する認識部と、
　メモリに保存されたフォントのうち前記入力された手書きに最も類似のフォントを抽出する抽出部、および
　前記抽出部から抽出されたフォントと前記入力された手書きとを相互比較して、前記抽出されたフォントの形を前記入力された手書きに最も類似に自動変換する変換部と、を含み、
　前記自動変換はリアルタイムで行われ、自動変換されたフォントがリアルタイムでディスプレーされ、
　前記変換部は、前記抽出されたフォントの全体形を前記入力された手書きに最も類似に変換させる第１変換部を含み、
　前記変換部は、前記抽出されたフォントの細部の形を前記入力された手書きに最も類似に変換させる第２変換部をさらに含み、
　前記抽出されたフォントと前記入力された手書きとを比較した結果に応じて、前記第１変換部による変換の後で、前記第２変換部による変換を実行し、
　変換が完了したフォントを保存して、フォントデータ化する、
　ことを特徴とする手書き入力自動変換システム。」
　　
２　判断
　本願発明は、補正発明の補正事項（上記第２の２（１）ア（ア）〜（ウ））の限定を省いたものと認められ、補正発明が、引用発明、引用文献２に記載された発明及び周知の技術に基づいて容易に発明できたものであることは、上記第２のとおりであるから、同じ理由で、本願発明は、引用発明、引用文献２に記載された発明及び周知の技術に基づいて容易に発明できたものと認められる。
　　
３　むすび 
　以上のとおり、本願の請求項１に係る発明は、引用発明、引用文献２に記載された発明及び周知の技術に基づいて、当業者が容易に発明することができたものであるから、特許法第２９条第２項の規定により特許を受けることができない。
　したがって、請求項２〜１２に係る発明について検討するまでもなく、本願は拒絶されるべきものである。
　　
　よって、結論のとおり審決する。